(57)【要約】      （修正有）【課題】放置配線を簡単に、しかも綺麗に整理整頓できる配線収納ボックスを提供する。【解決手段】余った配線を束状態で差し込める筒状収納ボックス１であり、束の配線が差し込まれると、配線の弾性により筒状内に固定される。筒状収納ボックス１内側にはクリップ２が設けられ、配線をクリップ２で固定することもできる。配線を引き出すことにより、長さ調整も可能である。ゴミや汚れだけではなく、足もとの危険性も同時に緩和できる。【選択図】図１
2008227437.tif 000002
【特許請求の範囲】
【請求項１】
電線コード類及びケーブル類の余った配線を束状態で筒型収納ボックス・ダクトに差し込む、配線は束にして入るために配線が持つ弾力カーブを描き筒の中で固定する。配線が持つ特性を活かし余った線を収納する。配線の長さ調整は引っ張るだけである。又、配線を固定したい時は内側にある固定クリップで配線を固定する、筒型収納ボックス・ダクトである。
【請求項２】
収納ボックス・ダクトの外側形状に固定クリップ装着溝で収納ボックス・ダクト本体を固定する。
【発明の詳細な説明】
【技術分野】
【０００１】本発明は、電化製品から出る電源コードや電化製品同士を繋ぐ接続コード及びパソコン用周辺機器同士を繋ぐケーブル類を簡単に収納ボックス・ダクトである。【０００２】電線・電源・接続コード及びケーブル類は目的によって大小異なるが、ＩＮとＯＵＴ間のコード類及びケーブル類の長さは最低１ｍ以上ありコード類及びケーブル類は結束類で纏めるか自然放置かが現状である。【０００３】結束類で纏めたものも、自然放置ものもコード類及びケーブル類が持つ弾力によって配線位置が自然と決まる。【０００４】その結果、時間とともにゴミが溜まり、コード類及びケーブル類も汚れる。
又、ゴミや汚れはトラキング現象の危険性が高くなる。【０００５】放置配線を簡単に整理整頓できるようにしたものである。【０００６】コード類及びケーブル類を束にするときは、人の手で丸める、手をリール用に丸めるなどしますが、その方でコード類及びケーブル類を束にし、筒型形状の収納ボックス・ダクトに差し込だけである。又、差し込は上下どちらでも可能である。【０００７】筒型形状の収納ボックス・ダクトに収納したコード類及びケーブル類は束状態ために配線が持つ弾力カーブを描くために筒型内で固定する役割を果たす。【０００８】その結果、力を外からあたえない限り筒型形状からコード類及びケーブル類は抜けない。【０００９】筒型形状の収納ボックス・ダクトの入口、出口の内側に配線固定クリップがありコード類及びケーブル類を固定し配線を拘束することも可能にした。【００１０】筒型形状の収納ボックス・ダクトには外側に入口、中央、出口に溝があり、溝にスットパ及び固定クリップで装着し、電化製品・ラック・デスック側に固定できる。【００１１】収納ボックス・ダクトにスットパクリップ装着するとラック・デスックの板に穴を開け収納ボックス・ダクトを差し込、上下の繋がりやコード類及びケーブル類の余分な線を収納出来るようにした。【００１２】固定クリップは電化製品やラック側に固定し、必要な位置や配列を簡単に出来る。
接続配線が余分な線や自然放置が無くなりコード類及びケーブル類ゴミや汚れだけでなく足もとの危険性も同時に緩和できる。【００１３】収納ボックス・ダクトにはコード類及びケーブル類の名称や記号を入れることで配線の間違え防止が出来る。
【背景技術】  現状のコード類及びケーブル類は長さが余ってしまい、結束類で纏めるか自然放置している。余った配線を床に放置すれば足を引っ掛ける危険性ある。又、ゴミや汚れもとになっている。
配線は目的に応じて複数あり、配線同士が乱暴である。又、複数の配線は名所や記号なく線を辿ることで目的の線を探している。
【発明の開示】
【発明が解決しようとする課題】
【００１４】コード類及びケーブル類が接続後の線が余り自然放置か結束類で束にするなどまちまちである。【００１５】余った線は以外と纏まりがなく、だらしない環境になる。【００１６】その問題はコード類及びケーブル類のダクトや配線を簡単に収納するものが無いためである。【００１７】接続後の配線は１ｍ以下が多く余った線を簡単に収納し整理整頓しやすくするのが課題である。
【課題を解決するための手段】
【００１８】我々がコード類及びケーブル類を束にする方法で纏め次に楕円状態する。【００１９】次に本発明の筒型収納ボックス・ダクトに差し込む。【００１９】差し込み後、コード類及びケーブル類は弾力カーブを描くために筒型の中で固定する。【００２０】コード類及びケーブル類の接続後は，入口側と出口側をどちらからでも引っ張るだけで調整できる。【００２１】配線を固定したい時は筒型形状の内側ある配線固定クリップで配線を固定する。【００２２】筒型収納ボックス・ダクト本体を固定したい時には外側にある固定クリップ装着溝にクリップで固定する。
【発明の効果】
【００２３】コード類及びケーブル類を接続後、余った配線を束にして筒型収納ボックス・ダクトに差し込むだけで簡単に収納する。【００２４】収納後、配線の調整は引っ張るだけで調整でき、配線を固定したい時は配線固定クリップに配線を差し込み固定する。【００２５】筒型収納ボックス・ダクトは配線の収納だけでなく本体を固定クリップで装着し電化製品やラック・デスック側に固定することで多数の配線を整理できる。【００２６】接続状態で頻繁に少移動する機器やマウスの配線コードは特に配線の長さ調整が簡単にできる。又、筒型収納ボックス・ダクトを近くに置くことで自然放置配線無くなる。【００２７】持ち運びする時も筒型収納可能ボックス・ダクトに収納することでコード類及びケーブル類ケース機能果たしている。
【発明の実施するための最良の形態】
【００２８】以下、本発明の実施の形態について説明する。
【００２９】［図１］の１は筒型収納ボックス・ダクトの全体図ある。
【００３０】Ａ詳細は配線を固定する固定クリップある。又、３の形状は固定クリップ装着溝である。
【００３１】［図２］は本発明のコード類及びケーブル類の余分な配線を束にして収納する図［図２−１］［図２−２］である。
【００３２】電化製品の接続配線類は約１ｍあり、如何しても自然放置していた配線を簡単に収納できる。
【００３３】［図３］は筒型収納ボックス・ダクト本体を３固定クリップ装着溝に固定クリップ及びスットパクリップを装着し本体を固定している図［図３−１］［図３−２］である。
【図面の簡単な説明】
【００３４】
【図１】本発明の筒型収納ボックス・ダクト本体図である。
【図２】本発明のコード類及びケーブル類の余分な配線を束にし、束の配線を差し込む図である。〔図２−１〕配線を入口側から入り出口側から出る図である。〔図２−２〕配線を入口側のみ入り出る図である。
【図３】筒型収納ボックス・ダクト本体を固定する図である。〔図３−１〕固定クリップで筒型収納ボックス・ダクト本体を固定図である。〔図３−２〕スットパクリップで筒型収納ボックス・ダクト本体をラック及びデスック類の板の貫通穴に差し込み固定し上下の配線図である。
【符号の説明】
【００２８】  １  筒型収納可能ボックス・ダクト本体
２  配線固定クリップ（内側）
２−１  配線固定した図
３  本体の固定クリップ装着溝（外側）
４  コード類及びケーブル類の配線
５  本体固定クリップ
６  スットパクリップ
７  ラック及びデスック類の板
【図１】
2008227437.tif 000003
【図２】
2008227437.tif 000004
【図３】
2008227437.tif 000005